(57)【特許請求の範囲】
【請求項１】
試料を載置する試料支持部と、前記試料の昇温脱離に使用される光源光を透過する光透過部を有する試料支持板フォルダーと、
前記光源光を発生する光源と、
試料から昇温脱離されたガスを吸引する試料導入口と、
試料導入口から吸引されたガスをイオン化するイオン化部と、
イオン化部で生成されたイオンを質量分析する質量分析部と、
分析時には光源からの光を試料支持部に照射させ、洗浄時には光透過部を透過した光源からの光を試料導入口に照射させる制御部と
を有する昇温脱離ガス分析装置。
【請求項２】
請求項１に記載の昇温脱離ガス分析装置において、
前記制御部は、試料支持板フォルダーの移動中に、前記試料導入口を洗浄する
ことを特徴とする昇温脱離ガス分析装置。
【請求項３】
請求項１に記載の昇温脱離ガス分析装置において、
前記制御部は、洗浄時に検出された測定対象物質のイオン強度又は総イオン強度を指標として、前記光源の光量、又は、照射時間を決定する
ことを特徴とする昇温脱離ガス分析装置。
【請求項４】
請求項１に記載の昇温脱離ガス分析装置において、
前記制御部は、前記試料導入口と前記試料支持板フォルダーのギャップの大きさを制御して、イオンの検出強度を調整する
ことを特徴とする昇温脱離ガス分析装置。
【請求項５】
請求項１に記載の昇温脱離ガス分析装置において、
前記試料導入口と前記試料支持板フォルダーのギャップが、０ｍｍより大きく０．５ｍｍ以下である
ことを特徴とする昇温脱離ガス分析装置。
【請求項６】
請求項１に記載の昇温脱離ガス分析装置において、
前記光源と対応する前記試料導入口を２組有し、
前記試料支持板フォルダーは、前記光源と前記試料導入口とで形成される各組に対応する位置に、前記試料支持部と前記光透過部を配置した構造を有し、
前記制御部は、一方の組を用いた分析中に他方の組を構成する前記試料導入口の洗浄を同時並行的に実行する
ことを特徴とする昇温脱離ガス分析装置。
【請求項７】
請求項１に記載の昇温脱離ガス分析装置において、
前記昇温脱離は大気圧下で実行される
ことを特徴とする昇温脱離ガス分析装置。
【請求項８】
請求項７に記載の昇温脱離ガス分析装置において、
前記イオン化部が陰圧であることを利用して、試料から脱離したガスを前記試料導入口から吸引する
ことを特徴とする昇温脱離ガス分析装置。
【請求項９】
請求項１に記載の昇温脱離ガス分析装置において、
前記試料導入口の材質がステンレス又はファインセラミックスである
ことを特徴とする昇温脱離ガス分析装置。
【請求項１０】
試料を載置する試料支持部と、前記試料の昇温脱離に使用される光源光を透過する光透過部とを有し、前記光源光に対して前記試料支持部と前記光透過部とが相対的に移動される方向に、前記試料支持部と前記光透過部を配置した構造を有する試料支持板フォルダー。
【請求項１１】
請求項１０に記載の試料支持板フォルダーにおいて、
前記試料支持部の材質が、タンタル、黒鉛、ガラス、又はガラス濾紙である
ことを特徴とする試料支持板フォルダー。
【請求項１２】
請求項１０に記載の試料支持板フォルダーにおいて、
前記光透過部の材質が、ガラス又はプラスチックである
ことを特徴とする試料支持板フォルダー。
【請求項１３】
請求項１０に記載の試料支持板フォルダーにおいて、
前記試料支持部と前記光透過部を円環状に配置したフレーム構造を有する
ことを特徴とする試料支持板フォルダー。
【請求項１４】
請求項１０に記載の試料支持板フォルダーにおいて、
前記試料支持部と前記光透過部を二重円環状に配置したフレーム構造を有する
ことを特徴とする試料支持板フォルダー。
【請求項１５】
請求項１０に記載の試料支持板フォルダーにおいて、
前記光源光に対して前記試料支持部と前記光透過部とが相対的に移動される方向に、前記試料支持部と前記光透過部を直線状に配置した構造を複数並列に配置した
ことを特徴とする試料支持板フォルダー。
【発明の詳細な説明】
【技術分野】
【０００１】
本発明は、光源を用いて試料を加熱し、その試料から脱離したガスを質量分析する装置及び同装置で使用する試料支持板フォルダに関する。
【背景技術】
【０００２】
試料を一定の昇温速度で加熱し、試料から脱離した分子を測定する方法として、昇温脱離ガス分析方法が知られている（特許文献１）。この分析方法は、試料を高精度で測定するのに適した方法であり、大量の試料を短時間で測定することは想定されていない。このため、昇温脱離ガス分析法には、処理時間が長いステップが幾つか含まれている。例えば、真空内に載置された試料を交換するために真空状態を破るステップも一例である。
【０００３】
ところで、分析装置を使用すれば、必ず汚れが蓄積する。例えば質量分析計のサンプリングコーンに汚れが蓄積する。このため、汚れた箇所を、ある一定の間隔で洗浄する必要がある。洗浄方法には、様々な方法がある。例えば質量分析計のサンプリングコーンを取り外して手作業で洗浄する方法がある。具体的には、汚れた箇所を磨く、または、超音波洗浄により汚れを取り除くなどである。また、汚れた箇所を、ヒートブロックなどを用いて昇温し、汚れを脱離または分解させる方法がある。その他、堆積した汚染物質を溶液で洗浄または分解する方法がある（特許文献２）。
【０００４】
試料を昇温して分子を脱離する方法には、半導体レーザーを用いる方法がある。この方法は、ＬＤＴＤ（Laser Diode Thermal Desorption）法と名付けられている（特許文献３）。ＬＤＴＤ法は、通常、数分かかる試料の測定を８秒程度の短時間で実行可能であり、試料の交換も容易である。このため、ＬＤＴＤ法は、大量の試料を測定できる特徴がある。
【先行技術文献】
【特許文献】
【０００５】
【特許文献１】特開２０１２−３２２２３号公報
【特許文献２】特開２００４−３９３１３号公報
【特許文献３】米国特許出願公開第２００６／００５４８０７号明細書
【発明の概要】
【発明が解決しようとする課題】
【０００６】
高スループットの質量分析計を使用すれば、一日に測定できる試料数も格段に増加させることができる。その一方で、測定する試料数の増加に比例して質量分析計に蓄積する汚れも増加する。結果的に、洗浄作業の必要性も増加する。
【０００７】
例えば２００測定回程度で、質量分析計の感度が大幅に低下する試料を測定する場合、測定回終了後に、汚れの蓄積された箇所（例えばサンプリングコーン）を装置本体から取り外し、例えば手作業で洗浄する。２００測定回とは、例えば１試料に３分かかる測定を１０時間連続で実行することで達する数である。
【０００８】
ここで、１試料に１０秒かかる測定を１０時間連続で実行すると、３，６００測定回に達する。この場合、単純に計算すると、３，６００測定回の間に、質量分析計の洗浄作業を１８回実行する必要がある。つまり、約３０分に一回の頻度で洗浄作業を行う必要がある。しかし、この頻度での手作業による洗浄は非現実的である。しかも、洗浄作業中は、測定を行えないため、質量分析計のスループットも低下する。
【０００９】
このため、洗浄作業の頻度が可能な限り少なく、できるだけ簡便な洗浄方法が望まれている。
【００１０】
なお、既存の洗浄方法には、例えばヒートブロックなどを用いて汚れた箇所の部品を加熱し、部品を洗浄する方法がある。しかし、ヒートブロック等の部品は熱容量が大きいため、昇温・冷却に最短でも一分近くかかってしまう。このため、部品を数秒程度で洗浄したい場合、ヒートブロックを用いる洗浄方法は不向きである。なお、洗浄したい部品を最初から高温に保っておけば、部品への汚れ成分の蓄積を少なくすることができる。その一方で、部品を通過する測定対象物質を熱で分解してしまう欠点がある。この他、洗浄液を用いて洗浄する方法も考えられるが、消耗品としての洗浄液が必要であり、洗浄液供給部を分析装置に設ける必要がある。また、ＬＤＴＤ法もあるが、この方法は大量の試料を測定した後の洗浄方法までは考慮されていない。
【００１１】
この他、上述した昇温脱離法では試料交換のたびに真空を破る必要があり、試料交換に要する時間だけ、質量分析計のスループットが低下する問題もある。
【００１２】
本発明は、以上の問題点を考慮してなされたもので、試料の短時間での交換が可能であると共に、試料導入口の表面を簡便かつ短時間に洗浄できる昇温脱離ガス分析装置及び同装置で使用する試料支持板フォルダを提供する。
【課題を解決するための手段】
【００１３】
上記課題を解決するため、本発明における昇温脱離ガス分析装置は、（ａ）試料を載置する試料支持部と試料の昇温脱離に使用される光源光を透過する光透過部を有する試料支持板フォルダーと、（ｂ）光源光を発生する光源と、（ｃ）試料から昇温脱離されたガスを吸引する試料導入口と、（ｄ）試料導入口から吸引されたガスをイオン化するイオン化部と、（ｅ）イオン化部で生成されたイオンを質量分析する質量分析部と、（ｆ）分析時には光源からの光を試料支持部に照射させ、洗浄時には光透過部を透過した光源からの光を試料導入口に照射させる制御部とを有する。
【発明の効果】
【００１４】
本発明によれば、短時間で大量の試料を測定でき、かつ、試料導入口に付着した汚染物質を短時間のうちに洗浄することができる。前述した以外の課題、構成及び効果は、以下の実施形態の説明により明らかにされる。
【図面の簡単な説明】
【００１５】
【図１】昇温脱離ガス分析装置の構成例を示す図。
【図２】試料支持板フォルダーの構成例を示す図。
【図３】試料支持部の形状および材質を説明する図。
【図４】試料導入口の形状および材質に応じた昇温特性の違いを説明する図。
【図５】昇温脱離ガス分析例を示す図。
【図６】ハロゲンランプを用いた洗浄例を説明する図。
【図７】試料支持板フォルダーに光透過部がない場合の昇温脱離ガスの分析例を説明する図（比較例）。
【図８】昇温脱離ガス分析と光洗浄とを交互に実行する方式に対応する装置構成とその制御方法を説明する図。
【図９】試料の移動中に光洗浄を行う方式に対応する装置構成とその制御方法を説明する図。
【図１０】２つの試料導入口と２つの光源がある場合に使用する円環型の試料支持板フォルダーとその測定順番を説明する図。
【図１１】２つの試料導入口と２つの光源がある場合に使用するプレート型の試料支持板フォルダーとその測定順番を説明する図。
【図１２】２つの試料導入口と２つの光源がある場合の昇温脱離ガス分析装置の構成とその制御方法を説明する図。
【図１３】試料支持板フォルダーと試料導入口とのギャップの大きさの切替えによりイオン検出強度を制御する方法を説明する図。
【発明を実施するための形態】
【００１６】
以下、図面に基づいて、本発明の実施の形態を説明する。なお、本発明の実施の態様は、後述する実施例に限定されるものではなく、その技術思想の範囲において、種々の変形が可能である。
【００１７】
以下の実施例では、光源光を用いて試料から昇温脱離したガスを試料導入口から吸引してイオン化し、生成されたイオンを質量分析する機能と、質量分析の合間に、試料導入口に付着した汚染物質を光源光の照射による昇温脱離により洗浄する機能を有する昇温脱離ガス分析装置について説明する。
【００１８】
以下の実施例では、光源と試料支持フォルダーの相対的な移動方向に、試料支持部と光透過部を交互に配置する構成の試料支持板フォルダーについて説明する。この構成の試料支持フォルダーを用いることにより、同じ光源を用いて試料の昇温脱離と試料導入口の洗浄を交互に実行することができる。このため、大量の試料を測定するのに適している。
【００１９】
なお、試料支持板フォルダーの構成は、様々な形状が考えられる。ただし、試料支持部と光透過部を交互に配置されていれば、試料支持部から光透過部への移動時間を最短にできる。
【００２０】
各実施例において光源を用いる理由は、以下の理由による。理由の１つは、光による洗浄法では、洗浄液による洗浄法のように補充頻度の高い消耗品が不要であるためである。理由の１つは、１つの光源を共用して、試料の昇温脱離と試料導入口の洗浄を行うことができ、洗浄のために新たな仕掛けを分析装置に組み込む必要がないためである。他にも、試料導入口の表面に付着した汚染物質への直接的な光照射により試料導入口の全体の温度を上げることなく、汚染物質を一瞬の間に脱離できるためである。さらには、光の照射時間、照射光量を制御することにより、洗浄の強さを簡便に制御できるためである。
【００２１】
また、各実施例に係る昇温脱離ガス分析装置は、試料を簡便かつ高速に交換できるように、試料を大気圧下に配置する。大気圧下であるため、試料を交換するたびに真空を破る必要がなく、容易に試料を交換することができる。そのため、試料交換にかかる時間を大幅に短縮することができる。
【００２２】
また、各実施例に係る昇温脱離ガス分析装置では、試料導入口と試料支持板フォルダーの間にわずかなギャップがあっても、試料導入口と試料支持板フォルダーを密着させた場合と同程度の強さのイオン検出強度を得ることができる。このため、ギャップのある状態で試料を昇温脱離し、かつ、試料を交換することができる。このことは、試料交換後に試料支持板と試料導入口を密着させる調整時間が不要になることを意味する。
【００２３】
ギャップには、その他の利点もある。ギャップの大きさを機械的に制御することにより、イオンの検出強度を制御できるという利点である。例えば質量分析部の検出上限を超える濃度のイオン量が発生する場合には、ギャップを大きくすることにより、質量分析計に導入されるイオン量を低減し、イオンの検出強度を検出範囲内に収めることができる。同時に、試料導入口から吸引されるガス量も低減するため、試料導入口の汚染を低減することができる。
【００２４】
また、後述するように、イオン化部は、質量分析部の内部には備え付けられた真空ポンプにより陰圧に調整されている。このため、ヘリウムガス、水素ガスなどのキャリアーガスで加圧しなくても、試料から昇温脱離されたガスを、試料導入口を通じてイオン化部に導入することができる。このため、昇温脱離ガス分析装置の装置構成を簡略化できる。
【００２５】
また、昇温脱離ガス分析装置には、光源と試料導入口を２組有する構成も考えられる。この場合、一方の光源光により試料を昇温脱離している間に、他方の光源光により対応する試料導入口を洗浄することができる。すなわち、質量分析と洗浄を同時並行的に実行できる。このため、光源と試料導入口を２組有する装置構成では、光源と試料導入口を１組しか有しない装置構成に比して、分析スループットを２倍に向上することができる。
【００２６】
なお、光源と試料導入口を２組有する装置構成に適した試料支持板フォルダーの形状についても様々な形状が考えられる。もっとも、一方の光源光が試料支持部を照射している際、他方の光源光が光透過部を照射し、かつ、各光源光が試料支持部と光透過部を交互に照射できる配置であれば、試料支持板フォルダーはどのような形状でも良い。
【００２７】
（実施例１）
［全体構成］
ここでは、各実施例の基本形について説明する。図１は、昇温脱離ガス分析装置１０の概略構成例を表している。昇温脱離ガス分析装置１０は、試料支持板フォルダー１と、ハロゲンランプ１０６と、試料２から昇温脱離されたガスを吸引する試料導入口１００と、試料導入口からガスを導入してイオン化するイオン化部１０３と、イオン化部で生成されたイオンを質量分析する質量分析部１０４と、真空ポンプ１０５と、装置全体を制御する制御部５００で構成される。この実施例の場合、ハロゲンランプ１０６と試料導入口１００は装置本体（不図示）に対して固定されており、試料支持板フォルダー１がハロゲンランプ１０６と試料導入口１００に対して相対的に移動される。図１では、試料支持板フォルダー１の移動方向を矢印で示している。
【００２８】
図１に示すように、試料支持板フォルダー１は、ハロゲンランプ１０６と試料導入口１００で挟まれた空間を図中の左側から右方向に移動する。詳細な形状については後述するが、試料支持板フォルダー１は、その移動方向に、試料２を載置する試料支持部３と、光を透過する光透過部４が交互に配置された構造を有している。試料支持部３は試料２を支持することができる領域であり、光透過部４はハロゲンランプ１０６からの光を透過する構造・材料で形成された領域である。図１では試料支持部３を黒の塗りつぶしで示し、光透過部４を白抜きで表している。なお、図１には、試料支持部３と試料導入口１００とのギャップ５と、昇温脱離後の試料カス６も表している。
【００２９】
試料導入口１００の内側は、試料支持部３と対面する側の開口が広く、イオン化部１０３側の開口が狭い漏斗形状に形成されている。試料導入口１００とイオン化部１０３を接続する管の周囲にはヒーター１０１が配置されている。なお、イオン化部１０３と管との接続部にはオリフィス１０２が設けられている。なお、質量分析部１０４には真空ポンプ１０５が接続されており、イオン化部１０３が陰圧に調整されている。
【００３０】
イオン化部１０３には、周知のイオン化装置を使用する。質量分析部１０４には、周知の質量分析計を使用する。具体例については後述する。
【００３１】
さらに、昇温脱離ガス分析装置１０には、装置の各部を制御する制御部５００が設けられている。制御部５００は、質量分析制御部５０１、光量制御部５０２、試料支持板フォルダーの位置・速度制御部５０３を有している。制御部５００は、例えばコンピュータで構成され、各部の機能はプログラムの実行を通じて実現される。
【００３２】
［試料］
試料２は、例えば、乳酸、ピルビン酸、クエン酸などの有機酸を想定する。揮発する物質であれば、どのような物質でも良い。試料２の状態は、液体または固体のどちらでも良い。また、試料２は、大気圧下で昇温脱離できるものとする。
【００３３】
［試料支持板フォルダー］
図２は、本実施例で使用する試料支持板フォルダー１の形状例を表している。このうち、符号（Ａ）は直線型の試料支持板フォルダー１の形状を示し、符号（Ｂ）は円環型の試料支持板フォルダー１を示している。直線型の試料支持板フォルダー１は、フレーム７が梯子形状に形成されている。長手方向に延びる一対のフレーム７とそれらの間を連結するフレーム７とで囲まれた枠内には、長手方向に対して試料支持部３と光透過部４が交互に配置されている。試料支持部３の長さと光透過部４は、いずれも矩形形状を有している。試料支持部３の長さと光透過部４の長手方向の長さは、同じでも異なっていてもよい。符号（Ｂ）に示す円環型の試料支持板フォルダー１は、一対のフレーム７が円形状に形成されている点以外は直線型と同様である。円環型の試料支持板フォルダー１の場合、円周方向に、試料支持部３と光透過部４が交互に配置される。
【００３４】
フレーム７の材質は、試料支持部３からの熱が隣の試料支持部３に伝わり難いように、熱伝導率の低い材質が望ましい。光透過部４には、光を透過し易いように何も配置しない構成でも良いし、透過率の高いガラス、プラスチック等の透明部材を配置しても良い。
【００３５】
図３は、試料支持部３の詳細な形状を示す。図３に示す各図は、試料２を載置した試料支持部３を側方から見た図である。試料支持部３は、例えば符号（Ａ）に示されるような平板形状でも良く、符号（Ｂ）に示されるように断面が矩形状の窪み（角型の窪み）でも良く、符号（Ｃ）に示されるように断面に丸みを有する窪み（丸型の窪み）でも良い。試料支持部３の材質は、タンタルなどの純金属、ステンレスなどの合金、黒鉛、ガラスなどで良い。なお、試料支持部３は、材質にガラス濾紙などの濾紙を用いても良い。符号（Ｄ）は、平板形状の試料支持部３の材質が濾紙である場合を表している。試料支持部３が濾紙の場合、液体の試料２は、試料支持部３の内部に浸み込んだ状態で保持される。
【００３６】
［試料導入口］
図４は、試料導入口１００の詳細な形状例と、材質の違いによる昇温特性の違いを示す。符号（Ａ）と（Ｂ）は、試料導入口１００に形成された２つの開口の中心軸を通る断面図である。試料２から昇温脱離したガスの吸引効率を高めるため、試料導入口１００の２つの開口のうち試料側の開口の直径は大きく、イオン化部１０３に連結される管路側の開口の直径は小さくなっている。符号（Ａ）は、試料導入口１００の内側がほぼ円錐形状に形成される場合を示し、符号（Ｂ）は、試料導入口１００の内側が斜楕円錘形状に形成される場合を示している。いずれの形状も、イオン化部１０３に連結される管路に近いほど径が小さくなる漏斗形状である点では共通するが、符号（Ｂ）の形状は断面が法物線を描く丸型の天井（底）を有している。
【００３７】
符号（Ｃ）は、試料導入口１００に光を照射した場合における表面温度の理論上の変化値を示している。縦軸は温度（℃）であり、横軸は光を照射してからの時間（秒）を表している。図中の実線は、試料導入口１００の材質が、２０［Ｗ・ｍ−１・Ｋ−１］程度の熱伝導率を有するステンレスである場合の温度変化を表している。一方、図中の破線は、試料導入口１００の材質が、３［Ｗ・ｍ−１・Ｋ−１］程度の熱伝導率を有するジルコニアを原料とするファインセラミックスである場合の温度変化を表している。
【００３８】
ここで、試料導入口１００には、１００Ｗのハロゲンランプ１０６で発生された光が１秒間照射されるものと仮定する。このとき、電力の８５％が光に変換され、光の５０％が集光される。また、試料導入口１００の表面積を約１．０×１０−４［ｍ２］、試料表面の深さを１．０×１０−４［ｍ］、ステンレスの比熱容量０．５［Ｊ・ｇ−１・Ｋ−１］、ファインセラミックスの比熱容量０．８［Ｊ・ｇ−１・Ｋ−１］、ステンレスの密度７．８［ｇ・ｃｍ−３］、ファインセラミックスの密度３．０［ｇ・ｃｍ−３］、ステンレスの吸収率  ０．３５、ファインセラミックスの吸収率０．４０とする。符号（Ｃ）のグラフは、これらの条件で熱伝達を計算した結果をグラフとして描いたものである。
【００３９】
なお、試料導入口１００は、２００℃に予熱されているものとする。熱伝導率が小さいファインセラミックスの方が昇温速度は速い。昇温速度の速い材質を用いた方が、洗浄時間を短くすることができる。なお、ステンレスとファインセラミックスは一例であり、熱伝導率が２０［Ｗ・ｍ−１・Ｋ−１］以下の他の材質を用いても良い。
【００４０】
［ギャップ］
ギャップ５は、試料支持部３と試料導入口１００との間に形成される空間の距離を与える。試料支持部３と試料導入口１００の間にギャップ５を許容する場合、試料支持部３と試料導入口１００を密着させる動作が不要となる。このため、２つの部材を密着させる場合よりも、試料２の交換は容易である。ギャップ５の距離は０ｍｍより大きく、０．５ｍｍ以下であることが好ましい。
【００４１】
［ヒーター］
ヒーター１０１は、管路内に配置されたオリフィス１０２と試料導入口１００を加熱するのに用いられる。ヒーター１０１による加熱により、気化したガスが壁面に吸着するコールドスポットの発生を防ぐために用いられる。
【００４２】
［オリフィス］
オリフィス１０２は、イオン化部１０３内の真空度を、イオン化に最も適した圧力に調整するために管の内部に設けられる。オリフィス１０２は、昇温脱離されたガスが導入される管径に比して径が小さい細管、穴を開けた板などで構成される。
【００４３】
［イオン化部］
イオン化部１０３は、試料２から昇温脱離されたガスをイオン化する装置である。本実施例に係る昇温脱離ガス分析装置１０では、試料２を大気圧下に配置するため、低真空下でもガスをイオン化できるバリア放電イオン化法に対応したイオン化部１０３の使用が望ましい。もっとも、オリフィス１０２で真空度を調節することにより、大気圧化学イオン化法、大気圧光イオン化法、電子イオン化法、化学イオン化法に対応したイオン化部１０３を用いても良い。
【００４４】
［質量分析部］
質量分析部１０４は、イオン化した物質の質量を分析する質量分析計である。質量分析部１０４には、例えばイオントラップ型、磁場偏向型、四重極型、飛行時間型、フーリエ変換イオンサイクロトロン共鳴型、イオンモビリティ型または、上記の分析計を複数組み合わせたタンデム型の質量分析計を用いれば良い。
【００４５】
真空ポンプ１０５によるイオン化部１０３及び質量分析部１０４からの排気により、イオン化部１０３及び質量分析部１０４の内部は陰圧になっている。このため、試料２から昇温脱離されたガスは試料導入口１００から吸引され、オリフィス１０２を通り、イオン化部１０３に導入される。このため、試料２から脱離したガスを、ヘリウムガス、水素ガスなどのキャリアーガスで加圧しなくても、イオン化部１０３に導入することができる。
【００４６】
［ハロゲンランプ］
ハロゲンランプ１０６は、試料支持部３と試料２を昇温させ、試料２に含まれる揮発性成分を脱離させる光の光源である。昇温用の光源には、ハロゲンランプ１０６を用いることが望ましいが、白熱電球、蛍光ランプ、水銀ランプ、キセノンランプ、クリプトンランプ、メタルハライドランプ、ナトリウムランプ、ディスチャージヘッドランプ、ＬＥＤ、レーザーなどを用いても良い。
【００４７】
［制御部］
前述の通り制御部５００は、質量分析制御部５０１、光量制御部５０２、試料支持板フォルダーの位置・速度制御部５０３を有している。質量分析制御部５０１は、質量分析の実行時、ヒーター１０１、イオン化部１０３、質量分析部１０４、真空ポンプ１０５を制御する。光量制御部５０２は、ハロゲンランプ１０６の光量を制御する。試料支持板フォルダーの位置・速度制御部５０３は、試料支持板フォルダー１の位置と移動速度を制御する。
【００４８】
［分析動作］
図５は、昇温脱離ガス分析装置１０による分析例を示す。図５の分析例では、以下の諸条件の下で行った。試料２に、液体の乳酸を使用する。試料支持部３に、平板形状のタンタル板を使用する。試料導入口１００の内形状は、図４の符号（Ａ）に示す円錐形状である。ギャップ５の長さは、０．５ｍｍである。試料導入口１００の温度及びオリフィス１０２の温度を、ヒーター１０１により２００℃に設定する。イオン化部１０３には、バリア放電イオン化法を適用する。質量分析部１０４には、イオントラップ型質量分析計を使用する。ハロゲンランプ１０６は、６０Ｗで４秒照射した後、４０Ｗで４秒照射する。
【００４９】
符号（Ａ）のグラフは、縦軸を強度（ｃｐｓ）、横軸を時間（秒）として表している。破線で示すグラフは試料２が存在しない場合、実線で示すグラフは試料２が１ｎｇの乳酸１ｎｇの場合のマスクロマトグラムである。
【００５０】
符号（Ｂ）で示すグラフは、縦軸を強度（ｃｐｓ）、横軸をｍ／ｚ値で表したマスクロマトグラムのピークトップのマススペクトルである。ｍ／ｚが８９．１の位置にピークが現われている。符号（Ｃ）は、縦軸を温度（℃）、横軸を時間（秒）として表した試料支持部３の温度プロファイルである。なお、温度は、超極細シース熱電対（φ０．１ｍｍ）を試料位置に貼り付けて測定した。
【００５１】
［洗浄動作］
図６は、ハロゲンランプ１０６の光を用いる試料導入口１００の洗浄を説明する図である。縦軸は、ｍ／ｚが８０〜２００のトータルイオンクロマトグラムであり、横軸は時間（秒）である。
【００５２】
図６に示す実験結果の取得に使用した装置の構成及び実験条件は図５とほぼ同じである。違いは、ハロゲンランプ１０６の照射条件と、試料２に液体の細菌培養液を用いた点である。他の実験条件は、図５の実験条件と同じである。
【００５３】
図６の実験では、まず、ハロゲンランプ１０６を１１０Ｗで１秒間動作させ、発生した光を試料保持部３に照射した。試料保持部３に光を照射したタイミングを矢印で示す。この１回目の光の照射により、細菌培養培地成分１μＬが昇温脱離される。図６には、この昇温脱離に同期して１つ目のピーク波形が出現している。この１回目の照射タイミングから約２０秒後に、ハロゲンランプ１０６を１１０Ｗで１秒間動作させ、発生した光で試料導入口１００を照射した。試料導入口１００に光を照射したタイミングを矢印で示す。この２回目の光の照射により、試料導入口１００に付着した汚染物質が脱離され、試料導入口１００が洗浄される。図６には、この昇温脱離に同期して２つ目のピーク波形が出現している。
【００５４】
［比較動作例］
ここでは、図７に示すように、光透過部４を有しない試料指示板フォルダー２０を用いる場合について、昇温脱離ガス分析を実行する場合を、本実施例に対する比較例として説明する。光透過部４が存在しないため、試料支持板フォルダー２０は、全て試料支持部３で構成される。なお、試料支持部３の材質はタンタルであるものとする。タンタルは遮光性に優れた材料である。
【００５５】
図７において、試料支持板フォルダー２０は、図中右方向に移動されるものとする。符合（Ａ）及び（Ｂ）に示すように、試料支持部３の表面には、加熱前の試料２と加熱後の試料カス６が載置されている。図７では、昇温脱離される試料２の順番をｓ１、ｓ２、ｓ３、ｓ４と名付ける。
【００５６】
符号（Ａ）は、試料２（ｓ１）がハロゲンランプ１０６の光軸上に位置するタイミングでハロゲンランプ１０６を点灯させ、発生した光の照射により試料支持部３と試料２（ｓ１）を昇温させる様子を表している。このとき、ガス化した試料２が試料導入口１００から吸引され、質量分析部１０４に導入される。
【００５７】
符号（Ｂ）は、試料２（ｓ１）の昇温脱離の終了後、次の試料２（ｓ２）がハロゲンランプ１０６の光軸上に位置する位置に移動するまでの中間点でハロゲンランプ１０６を点灯させた様子を表している。この比較例の場合、ハロゲンランプ１０６の光は、全て試料支持部３で遮られる。このため、ハロゲンランプ１０６の光は、試料導入口１００を照射しない。このため、試料導入口１００を洗浄することはできない。
【００５８】
符号（Ｃ）は、試料導入口１００をブロックヒーターを用いて洗浄した時の昇温カーブを示し、符号（Ｄ）は同ブロックヒーターによる過熱後の試料導入口１００の冷却カーブを示す。ここで、縦軸は試料導入口１００の温度（℃）であり、横軸は時間（秒）である。
【００５９】
符号（Ｃ）及び（Ｄ）に示すように、２００℃で予熱した試料導入口１００を昇温させ、その後、冷却した。
【００６０】
約１００ｇのステンレス製の試料導入口１００を１００Ｗのブロックヒーターを用いて加熱する場合における温度を熱容量の式から求めると、２００℃から３００℃まで昇温させるのに約１５秒かかる。試料導入口１００の冷却は、輻射と自然対流だけで行われると仮定すると、３００℃から２００℃まで冷却させるのに約４５秒かかる。つまり、光透過部４を有しない試料支持板フォルダー２０を用いる場合、昇温から冷却までに、最短でも一分近くかかってしまうことが分かる。
【００６１】
［実施例による昇温脱離ガス分析・光洗浄動作］
図８は、試料支持板フォルダー１を用い、昇温脱離ガス分析と光洗浄を交互に実行する制御例を示している。前述したように、試料支持板フォルダー１には、試料支持部３と光透過部４が交互に配置されている。試料支持板フォルダー１には、図２で示した直線型の試料支持板フォルダーと円環型の試料支持板フォルダーのどちらを用いても良い。
【００６２】
試料支持部３の長さはｄ１［ｍｍ］、光透過部４の長さはｄ２［ｍｍ］である。試料支持部３と光透過部４の距離ｄ［ｍｍ］は、ｄ＝（ｄ１＋ｄ２）／２になる。試料支持部３には、昇温脱離前の試料２と加熱後の試料カス６が載置されている。図８では、昇温される順番に、試料支持部３にｂ１、ｂ２、ｂ３、ｂ４と名前を付けている。また、昇温脱離される順番に、試料２に対してｓ１、ｓ２、ｓ３、ｓ４と名前を付けている。従って、この例の場合、試料２（ｓ１）が最初に昇温脱離される。
【００６３】
符号（Ａ）は、試料２（ｓ１）がハロゲンランプ１０６の光軸上に位置するタイミングでハロゲンランプ１０６を点灯させ、発生した光の照射により試料支持部３（ｂ１）と試料２（ｓ１）を昇温させた様子を表している。この際、ガス化した試料が試料導入口１００に吸引され、質量分析部１０４に導入される。すなわち、質量分析が実行される。
【００６４】
符号（Ｂ）は、試料２（ｓ１）のガス化による分析の後に、試料支持板フォルダー１を距離ｄだけ右方向に移動した状態を表している。このとき、ハロゲンランプ１０６から発生された光は光透過部４を通過して試料導入口１００を照射し、その表面に付着した物質を昇温脱離する。すなわち、試料導入口１００を光洗浄する。
【００６５】
光洗浄の終了後、試料支持板フォルダー１は、距離ｄだけ右方向に移動される。試料支持板フォルダー１の移動は、試料支持板フォルダーの位置・速度制御部５０３が行う。この移動により、試料２（ｓ２）がハロゲンランプ１０６の光軸上に移動する。このように、試料２（ｓ２）がハロゲンランプ１０６の光軸上に位置するタイミングでハロゲンランプ１０６を点灯させると、試料２（ｓ２）が昇温脱離され、ガス化した試料が試料導入口１００を通じて質量分析部１０４に導入され、質量分析が実行される。
以下同様に、洗浄と質量分析が、試料２が無くなるまで繰り返し実行される。
【００６６】
符号（Ｃ）、（Ｄ）、（Ｅ）は、１周期分の制御例を示す。ここでは、１周期の長さを明示的に記載しないが、一般的には、数秒オーダーである。符号（Ｃ）は、縦軸を温度（℃）、横軸を時間（秒）とするグラフであり、試料支持部３（ｂ１）の温度と試料導入口１００の表面温度の時間変化を表している。符号（Ｄ）は、左の縦軸をハロゲンランプ光量、右の縦軸を試料保持版フォルダー移動速度とし、横軸を時間（秒）とするグラフであり、光量と移動速度の時間変化を表している。符号（Ｅ）は、縦軸を測定対象物質のイオン強度、横軸を時間（秒）とし、イオン強度の時間変化を表している。
【００６７】
前述したように、試料支持板フォルダー１は、速度ｖ［ｍｍ／ｓ］で一方向に移動する。例えば直線型（図２の符号（Ａ））の場合、試料支持板フォルダー１は、速度ｖで直線方向に移動する。また、円環型（図２の符号（Ｂ））の場合、試料支持板フォルダー１は、速度ｖで回転する。従って、試料支持部３から光透過部４への移動時間、又は、光透過部４から試料支持部３への移動時間は、移動距離ｄを速度ｖで割った値（おおよそｄ／ｖ［ｓ］）になる。本実施例の場合、試料支持部３は、光透過部４に隣り合って配置している。このため、最短距離の移動時間になる。
【００６８】
以下、符号（Ｃ）、（Ｄ）、（Ｅ）に示すグラフの記載に基づいて、１つの試料に対して実行される１周期分のステップを説明する。
【００６９】
最初の脱離ステップにおいて、試料支持板フォルダー１は、ｔ１秒間、制御部５００により静止状態に制御される。この間、制御部５００は、ハロゲンランプ１０６を点灯制御し、試料支持部３（ｂ１）を昇温する。この際、試料導入口１００の表面温度は、予め設定した２００℃に、ヒーター１０１により保たれている。この状態で、制御部５００は、質量分析部１０４を制御して質量分析を実行し、測定結果である測定対象物質のイオン強度を記録する。
【００７０】
次の移動ステップにおいて、試料支持板フォルダー１は、速度ｖで、おおよそｄ／ｖ秒間、制御部５００により移動制御される。この間、制御部５００は、ハロゲンランプ１０６を消灯制御する。これに伴い、試料支持部３（ｂ１）の温度は自然放熱で下がる。なお、試料導入口１００の表面の温度は、ヒーター１０１の加温が継続するため、予め設定された２００℃のままである。
【００７１】
次の洗浄ステップにおいて、試料支持板フォルダー１は、ｔ２秒間、制御部５００により静止状態に制御される。この間、制御部５００は、ハロゲンランプ１０６を点灯制御する。前述したように、光透過部４は、部材が何も存在しない空間か光を透過する部材で構成されている。従って、ハロゲンランプ１０６から出力された光は、光透過部４を通過して試料導入口１００を照射する。光の照射に伴い、試料導入口１００の表面の温度は３００℃まで上昇する。試料導入口１００の表面に付着している物質の主成分は、脱離ステップでガス化された物質であるため、この温度上昇により、付着物質は再び昇温離脱される。すなわち、試料導入口１００の表面が洗浄される。任意であるが、この洗浄ステップにおいてキャリーオーバーした測定対象物質のイオン強度を記録しても良い。
【００７２】
最後の移動ステップにおいて、試料支持板フォルダー１は、速度ｖで、おおよそｄ／ｖ秒間、制御部５００により移動制御される。この間、制御部５００は、ハロゲンランプ１０６を消灯制御する。これに伴い、試料導入口１００の表面温度は自然放熱で下がる。
【００７３】
以上のステップが、１つの試料２に対して実行される１周期分のステップである。従って、次の試料２があると、再び、脱離ステップに戻り、前述した一連のステップが試料２が無くなるまで繰り返される。
【００７４】
なお、前述の例では、脱離ステップと洗浄ステップにおいて測定対象物質のイオン強度を検出しているが、全ステップにおいて測定対象物質のイオン強度を検出してもよく、又は脱離ステップの間だけ測定対象物質のイオン強度を検出しても良い。
【００７５】
また、試料支持部３又は試料導入口１００の冷却時間の短縮化を目的に、移動ステップでは空気を積極的に流し、空冷しても良い。また、前述した試料導入口１００の表面温度、試料支持部３の温度は一例として示したものであり、試料２の脱離温度特性に基づいて任意の温度を設定してよい。
【００７６】
［実施例の効果］
前述したように、試料支持フォルダー１の移動方向（回転方向を含む。）に、試料支持部３と光透過部４を交互に配置したことにより、同じハロゲンランプ１０６から射出された光を用いた試料２の昇温脱離と試料導入口１００の洗浄とを交互に実行することができる。本実施例のように、光により試料導入口１００を洗浄するため、洗浄液のように補充頻度の高い消耗品が不要であり、装置構造も簡易化できる。また、同じハロゲンランプ１０６を試料の昇温脱離と試料導入口の洗浄に共用するため、洗浄のための専用の仕掛けを組み込む必要がなく、昇温脱離ガス分析装置１０の小型化を実現できる。また、光による洗浄であるため、試料導入口全体の温度を上げることなく、汚染物質を一瞬の間に脱離できる。すなわち、洗浄時間の大幅な短縮が可能になる。また、光の照射時間、照射光量を制御することにより、洗浄の強さも簡便に制御することができる。このため、昇温脱離ガス分析装置１０は、従来装置に比して大量の試料２を測定するのに適している。
【００７７】
さらに、昇温脱離ガス分析装置１０では、試料２を大気圧下に配置した状態のまま、質量を分析することができる。このため、試料２の交換が容易であり、交換に要する時間も大幅に短縮できる。
【００７８】
（実施例２）
続いて、実施例１に係る昇温脱離ガス分析装置１０のチューニング方法の一例について説明する。ここでは、ハロゲンランプ１０６の光量又は照射時間を決定する方法について説明する。決定方法には２つの方法がある。１つは、事前に最適な光量又は照射時間を決めておく方法であり、１つは、測定対象物質のイオン強度を測定しながら光量又は照射時間を決める方法がある。
【００７９】
事前に最適な光量又は照射時間を決めておく方法は、同じような濃度の夾雑成分を含む試料２を大量に測定するときに用いて好適である。制御部５００による最適な光量又は照射時間の調整は、以下のように実行される。まず、制御部５００は、夾雑成分だけを含む試料２を昇温脱離させた後、洗浄ステップを２回実行する。その後、制御部５００は、２回目の洗浄ステップにおける測定対象物質のイオン強度とバックグランドレベルとを比較し、イオン強度の方が大きければ、１回目の洗浄が足りないと判断し、１回目の洗浄ステップにおけるハロゲンランプ１０６の光量を大きくするか、照射時間を長くする調整を行う。制御部５００は、この制御動作を２回目の洗浄ステップにおける測定対象物質のイオン強度がバックグランドレベルより小さくなるまで繰り返す。これにより、ハロゲンランプ１０６を最適な光量に又は照射時間に最適な長さに調整する。
【００８０】
測定しながら光量又は照射時間を決めていく方法は、違う種類の夾雑成分又は均一ではない濃度の夾雑成分を含む複数の試料を測定するときに用いて好適である。この場合、制御部５００は、１回目の洗浄ステップで検出した測定対象物質のイオン強度が、バックグランドレベル又は事前に決めた閾値以上であるか否かを判定し、洗浄が足りないと判断された場合、検出したイオン強度の大きさに比例させた光量又は照射時間によりもう一度、洗浄ステップを繰り返す。
【００８１】
本実施例によれば、ハロゲンランプ１０６の光量又は照射時間の最適化が可能である。なお、以上の説明では、測定対象物質のイオン強度を指標に用いて最適な光量、照射時間を決定したが、総イオン量を指標にしてハロゲンランプの光量又は照射時間を決定しても良い。
【００８２】
（実施例３）
実施例１の場合には、洗浄ステップを用意し、試料支持板フォルダー１を静止させた状態で、試料導入口１００の表面を洗浄する場合について説明したが、本実施例では、試料支持板フォルダー１の移動中に光洗浄を実行する場合について説明する。
【００８３】
図９は、本実施例に係る手法に適した試料支持板フォルダー１の構造と制御方法を表している。なお、本実施例では、十分な洗浄時間を確保するために、光透過部４の移動方向長さｄ２を試料支持部３の移動方向長さｄ１に比して十分長く設定している以外は、実施例１の装置構成と同様である（符号（Ａ）、（Ｂ））。因みに、符号（Ｂ）は、試料指示板フォルダー１を移動させながらハロゲンランプ１０６を点灯し、光洗浄を行う制御手法を表している。もっとも、移動時間を遅くすれば、十分な長さの光洗浄時間を確保することも可能であるので、光透過部４の移動方向長さｄ２と試料支持部３の移動方向長さｄ１の関係は、速度ｖにも依存する。
【００８４】
符号（Ｃ）、（Ｄ）、（Ｅ）に、１周期分の制御例を示す。この図においても、１周期の長さを明示的に記載していないが、一般的には、数秒オーダーである。符号（Ｃ）は、縦軸を温度（℃）、横軸を時間（秒）とするグラフであり、試料支持部３（ｂ１）の温度と試料導入口１００の表面温度の時間変化を表している。符号（Ｄ）は、左の縦軸をハロゲンランプ光量、右の縦軸を試料保持版フォルダー移動速度とし、横軸を時間（秒）とするグラフであり、光量と移動速度の時間変化を表している。符号（Ｅ）は、縦軸を測定対象物質のイオン強度とし、イオン強度の時間変化を表している。
【００８５】
前述したように、試料支持板フォルダー１は、速度ｖ［ｍｍ／ｓ］で一方向に移動する。１つの試料支持部３の中心から隣の試料支持部３の端までの距離はｄ１／２［ｍｍ］であるから、試料支持部３の中心から隣の試料支持部３の端、又は、試料支持部３の端から隣の試料支持部３の中心までの移動時間は、おおよそｄ１／２ｖ［ｓ］になる。一方、光透過部４の端から端までの移動時間は、おおよそｄ２／ｖ［ｓ］になる。従って、洗浄時間は、ｄ２／ｖ［ｓ］となる。ここで、ｄ２の長さを変更するか、移動速度を変更することにより、洗浄時間を可変することができる。
【００８６】
以下、符号（Ｃ）、（Ｄ）、（Ｅ）に示すグラフの記載に基づいて、１つの試料に対して実行される一連のステップを説明する。
【００８７】
最初の脱離ステップにおいて、試料支持板フォルダー１は、ｔ１秒間、制御部５００により静止状態に制御される。この間、制御部５００は、ハロゲンランプ１０６を点灯制御し、試料支持部３（ｂ１）を昇温する。この際、試料導入口１００の表面温度は、予め設定した２００℃に、ヒーター１０１により保たれている。この状態で、制御部５００は、質量分析部１０４を制御して質量分析を実行し、測定結果である測定対象物質のイオン強度を記録する。
【００８８】
次の移動ステップにおいて、試料支持板フォルダー１は、速度ｖで、おおよそｄ１／２ｖ秒間、制御部５００により移動制御される。この間、制御部５００は、ハロゲンランプ１０６を消灯制御する。これに伴い、試料支持板３（ｂ１）の温度は自然放熱で下がる。なお、試料導入口１００の表面の温度は、ヒーター１０１の加温が継続するため、予め設定された２００℃のままである。
【００８９】
次の移動中の洗浄ステップにおいて、試料支持板フォルダー１は、引き続き、速度ｖで、おおよそｄ２／ｖ秒間、制御部５００により移動制御される。この間、制御部５００は、ハロゲンランプ１０６を点灯制御する。この際、ハロゲンランプ１０６から出力された光波、光透過部４を通過し、試料導入口１００の表面を照射する。光の照射に伴い、試料導入口１００の表面の温度は３００℃まで上昇する。試料導入口１００の表面に付着している物質の主成分は、脱離ステップでガス化された物質であるため、この温度上昇により、付着物質は再び昇温離脱される。すなわち、試料導入口１００の表面が洗浄される。任意であるが、この洗浄ステップにおいてキャリーオーバーした測定対象物質のイオン強度を記録しても良い。
【００９０】
最後の移動ステップにおいて、試料支持板フォルダー１は、速度ｖで、おおよそｄ１／２ｖ秒間、制御部５００により移動制御される。この間、制御部５００は、ハロゲンランプ１０６を消灯制御する。これに伴い、試料導入口１００の表面温度は自然放熱で下がる。
【００９１】
以上のステップが、１つの試料２に対して実行される１周期分のステップである。従って、次の試料２があると、再び、脱離ステップに戻り、前述した一連のステップが試料２が無くなるまで繰り返される。
【００９２】
本実施例では、脱離ステップと洗浄ステップにおいて、測定対象物質のイオン強度を検出しているが、全ステップにおいて測定対象物質のイオン強度を検出してもよく、又は脱離ステップの間だけ測定対象物質のイオン強度を検出しても良い。
【００９３】
なお、試料導入口１００の表面温度、試料支持部３の温度は一例として示した温度であり、試料２の脱離温度特性に基づいて、各温度を任意の温度に設定してもよい。また、符号（Ａ）及び（ｂ）においては、ｄ２＞ｄ１である例を図示したが、ｄ２≦ｄ１であっても良い。
【００９４】
また、前述の説明では、1つの試料支持部３の端から隣の試料支持部３の中心へ移動している間、ハロゲンランプ１０６を消灯制御する例を例示したが、この間もハロゲンランプ１０６を点灯させても良い。
【００９５】
［実施例の効果］
本実施例の場合、移動しながら試料導入口１００を洗浄するステップを有することを除き、実施例１と同様の効果を有することができる。
【００９６】
（実施例４）
［二重円環型試料支持板フォルダー］
前述の各実施例においては、試料導入口１００とハロゲンランプ１０６がそれぞれ１つずつ配置される例について説明したが、本実施例では、試料導入口１００とハロゲンランプ１０６がそれぞれ２つずつ配置される場合について説明する。
【００９７】
図１０は、試料導入口１００とハロゲンランプ１０６が２つずつ配置される場合に用いて好適な二重円環型の試料支持板フォルダー３０の形状例と、測定時の順序関係を示す。
【００９８】
符号（Ａ）は、試料支持板フォルダー３０の外観例を示している。図に示すように、試料支持板フォルダー３０は、半径の大きさだけが異なる２つの円環型の試料支持板フォルダー１を互いに連結した構造を有している。ここで、内周側に位置する試料支持板フォルダー１の半径の大きさと外周側に位置する試料支持板フォルダー１の半径の大きさは、試料支持部３の半径方向の長さだけ異なっている。なお、試料支持部３と光透過部４の大きさはほぼ同一である。
【００９９】
さらに、本実施例で使用する二重円環型の試料支持板フォルダー３０では、半径方向に、試料支持部３と光透過部４が互いに隣り合うように配置する。その理由は、内周側での分析ステップの実行中に外周側での洗浄ステップの実行を可能とし、反対に、内周側での洗浄ステップの実行中に内周側での分析ステップの実行を可能とするためである。すなわち、分析ステップと洗浄ステップの同時実行を可能とするためである。
【０１００】
符号（Ｂ）は、二重円環型の試料支持板フォルダー３０による測定順序を説明するために用意した図である。図中には、測定順序が矢印で示されている。また、試料２が昇温脱離される順番をｓ１、ｓ２、ｓ３…ｓ３６と名付けている。試料支持板フォルダー３０では、円周方向に沿って試料保持部３が内周側と外周側に交互に出現するため、ｓ１、ｓ２、ｓ３…ｓ３６も内周側と外周側に交互に現われる。また、図中では、外周側に位置する円環型の試料支持板フォルダーに光が照射される順番をＡ１、Ａ２、Ａ３…Ａ３６と名付けると共に、内周側に位置する円環型の試料支持板フォルダーに光が照射される順番をＢ１、Ｂ２、Ｂ３…Ｂ３６と名付けている。図１０では、試料支持部３と光透過部４がそれぞれ３６個の試料支持板フォルダー３０を描いているが、勿論、これらの数は一例である。
【０１０１】
［プレート型試料支持板フォルダー］
本実施例で使用可能な試料支持板フォルダーの構成は、二重円環型に限らず、複数の直線型の試料支持板フォルダー１を同一面上で連結したプレート型の試料支持板フォルダーとすることもできる。例えば実施例１の場合と同様に、一方向にのみ試料支持板フォルダーを移動させる場合には、２つの直線型の試料支持板フォルダー１を並行に連結したプレート型の試料支持板フォルダーとしても良い。この場合も、２列に位置する直線型の試料支持板フォルダーの一方で分析ステップが実行されている最中に、他方では洗浄ステップが実行されるように、試料支持部３と光透過部４が移動方向に対して左右に配置する。
【０１０２】
なお、プレート型の試料支持板フォルダーを往復移動させる場合には、図１１に示す構成を有するプレート型の試料支持板フォルダーを用いることができる。図１１に示す試料支持板フォルダー４０は、４つの直線型の試料支持板フォルダー１を並行に連結したプレート型の試料支持板フォルダーの形状例と、測定時の順序関係を示す。
【０１０３】
ここで、符号（Ａ）に示すプレート型の試料支持板フォルダー４０では、試料支持部３と光透過部４の大きさが同じに形成されている。また、各列の直線型の試料支持板フォルダー１において、その長手方向に、試料支持部３と光透過部４が交互に繰り返されるように配置される点は実施例１と同じである。
【０１０４】
以下では、並列に接続された４つの直線型の試料支持板フォルダー１を一方の側から１行目、２行目、３行目、４行目と呼ぶことにする。この場合、１行目と２行目に位置する直線型の試料支持板フォルダー１の間で、試料支持部３と光透過部４が互いに隣り合うように配置する。また、３行目と４行目に位置する直線型の試料支持板フォルダー１の間で、試料支持部３と光透過部４が互いに隣り合うように配置する。例えば往路では１行目と２行目に位置する直線型の試料支持板フォルダー１を使用し、復路では３行目と４行目に位置する直線型の試料支持板フォルダー１を使用するためである。
【０１０５】
１行目と２行目の間、３行目と４行目の間には配置関係に制限があるのに対し、２行目と３行目に位置する直線型の試料支持板フォルダー１の間の配置関係は任意である。符号（Ａ）の場合には、２行目と３行目における試料支持部３と光透過部４の配列パターンが同じである場合を表している。勿論、２行目と３行目に位置する直線型の試料支持板フォルダー１の間でも、試料支持部３と光透過部４が互いに隣り合うように配置されても良い。
【０１０６】
符号（Ｂ）は、４つの直線型の試料支持板フォルダー１を並列に連結したプレート型の試料支持板フォルダー４０による測定順序を説明するために用意した図である。図中には、往路と復路に対応する測定順序がそれぞれ矢印で示されている。また、試料２が昇温脱離される順番をｓ１、ｓ２、ｓ３…ｓ２０と名付けている。試料支持板フォルダー４０では、移動方向に対して試料保持部３が右、左、右、左…又は左、右、左、右と交互に出現するため、ｓ１、ｓ２、ｓ３…ｓ２０も移動方向の左右に交互に現われる。また、図中では、奇数行に位置する直線型の試料支持板フォルダー１に光が照射される順番をＡ１、Ａ２、Ａ３…Ａ２０と名付けると共に、偶数行に位置する直線型の試料支持板フォルダー１に光が照射される順番をＢ１、Ｂ２、Ｂ３…Ｂ２０と名付けている。図１１では、試料支持板３と光透過部４がそれぞれ２０個の試料支持板フォルダー４０を描いているが、勿論、これらの数は一例である。
【０１０７】
［実施例による昇温脱離ガス分析・光洗浄動作］
図１２は、２つの試料導入口１００と２つのハロゲンランプ１０６を有する昇温脱離ガス分析装置１０のうち、試料支持板フォルダーの近傍付近の構成とその制御方法を示している。
【０１０８】
前述したように、試料支持板フォルダーは、図１０に示した二重円環型の試料支持板フォルダー３０でも良いし、図１１に示したプレート型の試料支持板フォルダー４０でも良い。プレート型の試料支持板フォルダー４０を使用する場合、昇温脱離ガス分析装置１０には、試料支持板フォルダー４０を行方向と列方向の２方向に移動させることができる不図示の駆動機構が設けられている。これに対し、二重円環型の試料支持板フォルダー３０を使用する場合、昇温脱離ガス分析装置１０には、試料支持板フォルダー３０を回転駆動する不図示のモーターが設けられている。
【０１０９】
符号（Ａ）及び（Ｂ）は、試料支持板フォルダーの移動方向に対して垂直に、試料支持板フォルダー、試料導入口α２０１、試料導入口β２０２、ハロゲンランプα３０１、ハロゲンランプβ３０２を破断した断面図を表している。以下では、制御部５００による制御方法を、図１０、図１１で定義した試料の測定順序ｓ１、ｓ２、ｓ３…と、照射の順番Ａ１、Ａ２、Ａ３…と、照射の順番Ｂ１、Ｂ２、Ｂ３…を用いて説明する。
【０１１０】
Ａシリーズへの光の照射は、ハロゲンランプα３０１により行われ、昇温脱離されたガスは、試料導入口α２０１から吸引される。Ｂシリーズへの光の照射は、ハロゲンランプβ３０２により行われ、昇温脱離されたガスは、試料導入口β２０２から吸引される。
【０１１１】
符号（Ａ）の場合、Ａシリーズの１番目の位置Ａ１に光透過部４が位置し、Ｂシリーズの１番目の位置Ｂ１に試料支持部３と試料２（ｓ１）が位置している。この状態において、ハロゲンランプα３０１の光は、光透過部４を通過して試料導入口α２０１を照射し、その表面を洗浄する。一方、ハロゲンランプβ３０２の光は、試料支持部３と試料２（ｓ１）を昇温させ、試料をガス化する。ガス化した試料は、試料導入口β２０２で集められ、イオン化部１０３を経て質量分析部１０４に導入される。
【０１１２】
符号（Ｂ）の場合、Ａシリーズの２番目の位置Ａ２に試料支持部３と試料２（ｓ２）が位置し、Ｂシリーズの２番目の位置Ｂ２に光透過部４が位置する。この状態において、ハロゲンランプα３０１の光は、試料支持部３と試料２（ｓ２）を昇温させ、試料をガス化する。ガス化した試料が試料導入口α２０１で集められ、イオン化部１０３を経て質量分析部１０４に導入される。一方、ハロゲンランプβ３０２の光は、光透過部４を通過して試料導入口β２０２を照射し、その表面を洗浄する。
【０１１３】
試料導入口α２０１と試料導入口β２０２で吸引されたガスは、質量分析部１０４に導入される。この際、２台の質量分析部１０４で分析しても良いし、合流させたガスを一台の質量分析部１０４で分析しても良いし、光洗浄時に脱離させたガスが質量分析部１０４に導入されないように、試料導入口α２０１及び試料導入口β２０２と質量分析部１０４の間にバルブを設けて排気しても良い。
【０１１４】
符号（Ｃ）、（Ｄ）、（Ｅ）、（Ｆ）は、１周期分の制御例を示す。ここでは、１周期の長さを明示的に記載しないが、一般的には、数秒オーダーである。符号（Ｃ）は、縦軸を温度（℃）、横軸を時間（秒）とするグラフであり、試料支持部３（Ａ２、Ｂ１）の温度変化を表している。符号（Ｄ）は、縦軸を温度（℃）、横軸を時間（秒）とするグラフであり、試料導入口α２０１及び試料導入口β２０２の表面温度と時間変化を表している。符号（Ｅ）は、左の縦軸をハロゲンランプ光量、右の縦軸を試料保持版フォルダー移動速度とし、横軸を時間（秒）とするグラフであり、光量と移動速度の時間変化を表している。符号（Ｆ）は、２つの試料導入口α２０１と試料導入口β２０２に対応する図であり、それぞれ縦軸を測定対象物質のイオン強度、横軸を時間（秒）とし、イオン強度の時間変化を表している。
【０１１５】
以下、符号（Ｃ）、（Ｄ）、（Ｅ）、（Ｆ）に示すグラフの記載に基づいて、１つの試料に対して実行される１周期分のステップを説明する。
【０１１６】
まず、制御部５００は、二重円環型又はプレート型の試料支持板フォルダーを、速度ｖ［ｍｍ／ｓ］で移動する。ここで、移動方向への試料支持部３の長さと光透過部４の長さは、いずれもｄ［ｍｍ］とする。
【０１１７】
図１１に示すプレート型の試料支持板フォルダー４０の場合、制御部５００は、試料支持板フォルダー４０を長辺方向（行方向）に移動する。往路での検査対象である２行分の全ての試料について測定が完了すると、制御部５００は、試料支持板フォルダー４０を短辺方向（列方向）に移動し、復路での検査対象である２行分について測定を開始する。なお、図１０に示す円環型の試料支持板フォルダー３０を用いる場合、制御部５００は、試料支持板フォルダー３０を回転駆動する。試料支持部３から光透過部４、又は、光透過部４から試料支持部３への移動時間は、おおよそｄ／ｖ［ｓ］になる。
【０１１８】
最初のステップにおいて、試料支持板フォルダーは、ｔ１秒間、制御部５００により静止状態に制御される。このとき、制御部５００は、ハロゲンランプα３０１を点灯制御し、位置Ａ１に位置する光透過部４を透過させることにより、試料導入口α２０１に光を照射する。この光の照射により、試料導入口α２０１は洗浄される。この洗浄時に脱離したガスのイオン強度を記録しても良い。同時に、制御部５００は、ハロゲンランプβ３０２を点灯制御し、位置Ｂ１に位置する試料支持部３と試料２（ｓ１）を昇温する。この昇温により、試料２（ｓ１）は脱離され、測定対象物質のイオン強度が記録される。
【０１１９】
次の移動ステップでは、制御部５００は、速度ｖで、おおよそｄ／ｖ秒間、試料支持板フォルダーを移動制御する。この間、制御部５００は、ハロゲンランプα３０１及びハロゲンランプβ３０２を消灯制御する。
【０１２０】
次のステップにおいて、試料支持板フォルダーは、ｔ秒間、制御部５００により静止状態に制御される。このとき、制御部５００は、ハロゲンランプα３０１を点灯制御し、位置Ａ２に位置する試料支持部３と試料２（ｓ２）を昇温する。この昇温により、試料２（ｓ２）は脱離され、測定対象物質のイオン強度が記録される。同時に、制御部５００は、ハロゲンランプβ３０２を点灯制御し、位置Ｂ２に位置する光透過部４を透過させることにより、試料導入口β２０２に光を照射する。この光の照射により、試料導入口β２０２は洗浄される。この洗浄時に脱離したガスのイオン強度を記録しても良い。
【０１２１】
最後の移動ステップにおいて、制御部５００は、速度ｖで、おおよそｄ／ｖ秒間、試料支持板フォルダー１を移動制御する。この間、制御部５００は、ハロゲンランプα３０１及びハロゲンランプβ３０２を消灯制御する。
【０１２２】
この後、最初ステップから順番に、測定対象とする試料２が無くなるまで１周期分のステップが繰り返される。なお、前述の試料導入口α２０１及び試料導入口β２０２の表面温度、試料支持板３の温度は一例として示した温度である。これらの温度は、試料２の脱離温度特性に基づいて任意の温度に設定してよい。
【０１２３】
［実施例の効果］
本実施例のように、ハロゲンランプ１０６と試料導入口１００を２組有する構成を採用すれば、一方の光源光により試料を昇温脱離している間に、他方の光源光により対応する試料導入口を洗浄することができる。すなわち、質量分析と洗浄を同時並行的に実行できる。このため、本実施例に係る昇温脱離ガス分析装置１０では、ハロゲンランプ１０６と試料導入口１００を１組しか有しない装置構成に比して、分析スループットを２倍に向上することができる。
【０１２４】
（実施例５）
本実施例では、ギャップ５の大きさを機械的に制御することにより、イオン強度を調整できることを説明する。
【０１２５】
図１３は、試料導入口１００に対して試料支持板フォルダー１を上下方向に駆動するギャップ調整機構４００によってギャップ５の大きさを可変し、イオン検出強度を制御する方法について説明する。なお、ギャップ調整機構４００は、試料支持板フォルダー１を上下方向に移動させることができれば、既知のＺ軸位置調整機構を応用することができる。ギャップ調整機構４００の動作も制御部５００が制御する。
【０１２６】
なお、試料支持板フォルダー１が上下方向にも可動であることと、その駆動機構としてギャップ調整機構４００が設けられる点を除き、本実施例に係る昇温脱離ガス分析装置１０の構成は、前述した他の実施例と同様である。
【０１２７】
符号（Ａ）は、ギャップ５が、０．５ｍｍの状態で、試料２を昇温脱離する様子を示す図である。符号（Ｂ）は、ギャップ５が、１．５ｍｍの状態で、試料２を昇温脱離する様子を示す図である。符号（Ｂ）は、試料支持板フォルダー１をハロゲンランプ１０６方向に１ｍｍ移動し、ギャップ５の大きさを調整した後の状態を表している。
【０１２８】
符号（Ｃ）は、ギャップ５の大きさと、乳酸の検出強度の関係を示すグラフの一例である。グラフの縦軸は検出強度（ｃｐｓ）であり、横軸はギャップの大きさ（ｍｍ）である。図より、乳酸の検出強度は、ギャップが０〜０．５ｍｍの時に最大になり、ギャップが０．５〜２．０ｍｍの時にギャップの大きさに反比例して小さくなり、ギャップが２．０ｍｍ以上のときにバックグランドレベルになることを示している。グラフ中の符号（Ａ）のギャップと符号（Ｂ）のギャップに対応する箇所を矢印で示す。
【０１２９】
［実施例の効果］
本実施例のように、ギャップ５の大きさを機械的に制御することにより、イオンの検出強度を制御できる。例えば質量分析部１０４の検出上限を超える濃度のイオン量が発生する場合には、ギャップ５を大きくすることにより、質量分析計に導入されるイオン量を低減し、イオンの検出強度を検出範囲内に収めることができる。同時に、試料導入口から吸引されるガス量も低減するため、試料導入口の汚染を低減することができる。なお、ギャップ５の大きさの制御は、イオンの検出強度に基づいて、制御部５が自動的に実行してもよい。
【０１３０】
なお、前述の説明では、試料支持板フォルダー１の高さを上下方向に調整しているが、試料支持板フォルダー１の高さは固定とし、試料導入口１００の高さを上下方向に調整しても良い。
【０１３１】
（他の実施例）
前述の実施例においては、試料支持板フォルダーの移動方向に、試料支持部３と光透過部４を交互に配置し、分析と洗浄を交互に実行する場合について説明したが、複数回の分析ステップに対して１回の割合で洗浄ステップを実行しても良い。
【０１３２】
なお、本発明は上述した実施例に限定されるものでなく、様々な変形例が含まれる。例えば、上述した実施例は、本発明を分かりやすく説明するために詳細に説明したものであり、必ずしも説明した全ての構成を備えるものに限定されるものではない。また、ある実施例の一部を他の実施例の構成に置き換えることが可能であり、また、ある実施例の構成に他の実施例の構成を加えることも可能である。また、各実施例の構成の一部について、他の構成を追加、削除又は置換することも可能である。
【０１３３】
また、上述した各構成、機能、処理部、処理手段等は、それらの一部又は全部を、例えば集積回路その他のハードウェアとして実現しても良い。また、上記の各構成、機能等は、プロセッサがそれぞれの機能を実現するプログラムを解釈し、実行することにより実現しても良い。すなわち、ソフトウェアとして実現しても良い。各機能を実現するプログラム、テーブル、ファイル等の情報は、メモリやハードディスク、SSD（Solid State Drive）等の記憶装置、ICカード、SDカード、DVD等の記憶媒体に格納することができる。
【符号の説明】
【０１３４】
１…試料支持板フォルダー、２…試料、３…試料支持部、４…光透過部、５…ギャップ、６…試料カス、７…フレーム、１０…昇温脱離ガス分析装置、２０…試料支持板フォルダー、３０…試料支持板フォルダー、４０…試料支持板フォルダー、１００…試料導入口、１０１…ヒーター、１０２…オリフィス、１０３…イオン化部、１０４…質量分析部、１０５…真空ポンプ、１０６…ハロゲンランプ、２０１…試料導入口α、２０２…試料導入口β、３０１…ハロゲンランプα、３０２…ハロゲンランプβ、４００…ギャップ調整機構、５００…制御部、５０１…質量分析制御部、５０２…光量制御部、５０３…試料支持板フォルダーの位置・速度制御部。
【図１】
0005973245.tif 000002
【図２】
0005973245.tif 000003
【図３】
0005973245.tif 000004
【図４】
0005973245.tif 000005
【図５】
0005973245.tif 000006
【図６】
0005973245.tif 000007
【図７】
0005973245.tif 000008
【図８】
0005973245.tif 000009
【図９】
0005973245.tif 000010
【図１０】
0005973245.tif 000011
【図１１】
0005973245.tif 000012
【図１２】
0005973245.tif 000013
【図１３】
0005973245.tif 000014